(57)【要約】光ディスク（２）に情報を書き込む及び／又は光ディスク（２）から情報を読み出す光ディスクドライブ装置（１）は、ディスク（２）を回転させる制御可能なモータ（４）と、レーザ（３１）と、前記レーザの温度（Ｔ）を示す測定信号（ＳＴ）を発生する温度測定手段（５０）と、モータ（４）のための制御信号（ＳＣＭ）を発生する第１出力（９１）を有する制御ユニット（９０）とを有する。制御ユニット（９０）は、ＦＡＮモード（ＳＭ２）において動作することができるように設計されており、該ＦＡＮモードにおいては、前記レーザがオフに切り換えられ、モータ（４）が回転される。
2006513518.tif 000002
【特許請求の範囲】
【請求項１】
ディスクに情報を書き込む及び／又はディスクから情報を読み出すディスクドライブ装置であって、
―  前記ディスクを回転させる制御可能なモータと、
―  前記モータ用の制御信号を発生する第１出力を有する制御ユニットと、
を有するディスクドライブ装置において、前記制御ユニットは、いかなる書き込み及び／又は読み出しも前記ディスクドライブ装置によって実行されずに、前記モータが回転されるＦＡＮモードで、動作することができるように設計されている、
ディスクドライブ装置。
【請求項２】
前記ディスクドライブ装置内部で生じる温度を示す測定信号を発生する温度測定手段を更に有し、前記温度測定手段は、好ましくは前記ディスクドライブの構成要素の前記温度を測定する、請求項１に記載のディスクドライブ装置において、前記制御ユニットは、前記温度測定手段に結合されている信号入力を有し、前記温度測定手段から受け取られた前記測定信号に応じて、前記ＦＡＮモードに入るように設計されている、ディスクドライブ装置。
【請求項３】
書き込み／読み出し動作の完了の際に、前記測定信号が、６０℃のような第１しきい温度よりも、高い温度を示す場合、前記制御ユニットは、前記ＦＡＮモードに入るように設計されている、請求項２に記載のディスクドライブ装置。
【請求項４】
前記制御ユニットが、書き込み／読み出し動作の間、前記測定信号を監視し、６０℃のような第１しきい温度よりも高い温度を示す前記測定信号の受け取りに応じて第１フラグを設定し、書き込み／読み出し動作の完了において、前記第１フラグが設定されている場合、前記ＦＡＮモードに入るように設計されている、請求項２に記載のディスクドライブ装置。
【請求項５】
前記制御ユニットは、書き込み／読み出し動作の間、前記測定信号を監視し、前記第１しきい温度よりも低い温度を示す前記測定信号の受け取りに応じて、前記第１フラグをリセットするように設計されている、請求項４に記載のディスクドライブ装置。
【請求項６】
前記制御ユニットは、前記ＦＡＮモードにおいて、前記モータの回転速度を、最適な冷却効果のために選択されている所定安全値に設定するように設計されている、請求項１ないし５のいずれか一項に記載のディスクドライブ装置。
【請求項７】
前記制御ユニットは、前記ＦＡＮモードにおいて、前記モータの回転速度を、低い可聴性のために選択されている所定安全値に設定するように設計されている、請求項１ないし６のいずれか一項に記載のディスクドライブ装置。
【請求項８】
前記制御ユニットは、前記ＦＡＮモードへの遷移の際に第１タイマを開始し、前記第１タイマによって決定されている第１所定時間の後に、前記ＦＡＮモードを終了するように設計されている、請求項１ないし７のいずれか一項に記載のディスクドライブ装置。
【請求項９】
前記制御ユニットは、書き込み／読み出し動作の間、前記制御信号を監視し、７０℃のような前記第１しきい温度よりも高い第２しきい温度よりも、高い温度を示す前記測定信号の受け取りに応じて、タイマを設定し、前記タイマによって決定されている所定時間の後、前記測定信号が前記第２しきい温度よりも高い温度をまだ示している場合、前記ＦＡＮモードに入るように設計されている、請求項２に記載のディスクドライブ装置。
【請求項１０】
前記制御ユニットは、書き込み／読み出しが実施されているノーマルモード部と、書き込み／読み出しが一時的に停止される一方、前記モータの回転が継続されるエネルギ節約モード部とにおいて、交互に動作するデューティサイクルモードにおいて動作することができるように設計されている、請求項１ないし９のいずれか一項に記載のディスクドライブ装置。
【請求項１１】
前記制御ユニットは、前記モータの前記回転速度を、前記デューティサイクルモードの間、ほぼ一定に保持するように設計されている、請求項１０に記載のディスクドライブ装置。
【請求項１２】
前記デューティサイクルモードは、１〜１０秒の範囲で、好ましくは約５秒のオーダで選択されたサイクル期間を有する、請求項１０又は１１に記載のディスクドライブ装置。
【請求項１３】
前記デューティサイクルモードは、約５０％のオーダのデューティサイクルを有する、請求項１２ないし１４のいずれか一項に記載のディスクドライブ装置。
【請求項１４】
前記ディスクドライブ装置内部で発生する温度を示す測定信号を発生する温度測定手段を有し、前記温度測定手段は、好ましくは、ディスクドライブの構成要素の前記温度を測定する、請求項１０ないし１３のいずれか一項に記載のディスクドライブ装置において、前記制御ユニットは、前記温度測定手段に結合されている信号入力を有し、書き込み／読み出し動作の間、前記測定信号を監視し、前記第１しきい温度よりも高い第２しきい温度よりも、高い温度を示す前記測定信号の受け取りに応じて、前記デューティサイクルモードに入るように設計されている、請求項１０ないし１３のいずれか一項に記載のディスクドライブ装置。
【請求項１５】
前記ディスクドライブ装置内で発生する温度を示す測定信号を発生する温度測定手段を有し、前記温度測定手段は、好ましくは、ディスクドライブの構成要素の前記温度を測定する、請求項１０ないし１４のいずれか一項に記載のディスクドライブ装置において、前記制御ユニットは、前記温度測定手段に結合されている信号入力を有し、書き込み／読み出し動作の間、前記測定信号を監視し、前記第２しきい温度よりも高い温度を示す前記測定信号の受け取りに応じてタイマを設定し、前記タイマによって決定されている所定時間の後、前記測定信号が、前記第１しきい温度よりも高い第２しきい温度よりも、高い温度をまだ示している場合、前記デューティサイクルモードに入るように設計されている、請求項１０ないし１４のいずれか一項に記載のディスクドライブ装置。
【請求項１６】
前記制御ユニットが、書き込み／読み出しが第１所定安全速度で実施される第１安全モードにおいて、動作することができるように設計されている、請求項１ないし１５のいずれか一項に記載のディスクドライブ装置。
【請求項１７】
前記制御ユニットが、前記第２しきい温度よりも高い温度を示す前記測定信号の受け取りに応じて、前記第１安全モードに遷移し、前記タイマによって決定されている前記所定時間の後、前記測定信号が、前記第２しきい温度よりも高い温度をまだ示している場合、前記第１安全モードから前記デューティサイクルモードに遷移するように設計されている、請求項１５に従属する、請求項１６に記載のディスクドライブ装置。
【請求項１８】
前記ディスクドライブ装置が、制御可能な光ビーム発生器、典型的にはレーザを有する光ディスクドライブ装置であって、前記制御ユニットが、前記光ビーム発生器のための制御信号を発生する第２出力を有し、前記制御ユニットが、前記ＦＡＮモードで動作している間、前記光ビーム発生器をオフに切り換えるように設計されている、請求項１ないし１７のいずれか一項に記載のディスクドライブ装置。
【請求項１９】
前記ディスクドライブ装置内で発生する温度を示す測定信号を発生する温度測定手段を有し、前記温度測定手段は、前記光ビーム発生器の前記温度を測定する、請求項１８に記載のディスクドライブ装置。
【請求項２０】
前記制御ユニットは、前記機能ユニットのための制御信号を発生する第３出力を有し、前記制御ユニットは、前記機能ユニットをオフに切り換える一方で、前記ＦＡＮモードで動作するように設計されている、請求項１ないし１９のいずれか一項に記載のディスクドライブ装置。
【請求項２１】
前記制御ユニットは、前記モータが、ディスクが存在しないまま、回転されるＦＡＮ２  ＴＵＲＮＴＡＢＬＥモードで動作することができるように設計されている、請求項１ないし２０のいずれか一項に記載のディスクドライブ装置。
【請求項２２】
前記ディスクドライブ装置内部で発生する温度を示す測定信号を発生する温度測定手段を有し、前記温度測定手段は、好ましくはディスクドライブの構成要素の前記温度を測定する、請求項２１に記載のディスクドライブ装置において、前記制御ユニットは前記温度測手段に結合されている信号入力を有し、ディスクが入っていないアイドル状態において、前記測定信号が、６０℃のようなしきい温度よりも高い温度を示す場合に、前記ＦＡＮ２  ＴＵＲＮＴＡＢＬＥモードに入るように設計されている、ディスクドライブ装置。
【請求項２３】
前記制御ユニットが、前記ＦＡＮ２  ＴＵＲＮＴＡＢＬＥモードへの遷移の際に第５タイマを開始し、前記第５タイマによって決定されている第５所定時間の後、前記ＦＡＮ２  ＴＵＲＮＴＡＢＬＥモードを終了するように設計されている、請求項２１又は２２に記載のディスクドライブ装置。
【発明の詳細な説明】
【技術分野】
【０００１】
本発明は、一般には、記憶ディスクに情報を書き込む及び／又はディスクから情報を読み出すディスクドライブ装置に関する。本発明は、詳細には、排他的にではなく、光記憶ディスクに情報を書き込む及び／又はディスクから情報を読み出すディスクドライブ装置に関し、以下で、本発明は、「光ディスクドライブ」としても示されるであろう前記ディスクドライブ装置に関して詳細に説明される。
【背景技術】
【０００２】
一般に知られているように、光記憶ディスクは、情報が記憶されることができる記憶スペースの、連続的ならせん状又は複数の同心円状のいずれかである少なくとも１つのトラックを有する。光ディスクは、製造の間に情報が記録され、ユーザはデータを読み出すことができるのみである、読み取り専用型であっても良い。光記憶ディスクは、ユーザによって情報が記憶されることができる記録可能型であっても良い。光ディスクの典型的な例は、例えば、ＣＤ及びＤＶＤである。光記憶ディスクの記憶スペースに情報を書き込む、又は光記憶ディスクから情報を読み出すように、光ディスクドライブは、一方では光ディスクを収容して回転させる回転手段と、他方では光ビームによって記憶トラックを走査する光手段とを有する。光ディスクの技術であって、一般に、情報が光ディスク内に記憶されることができる仕方、及び光データが光ディスクから読み出されることができる仕方は、よく知られているので、ここでは、この技術を詳細に記載する必要はない。
【０００３】
前記光手段は、前記光ビームを発生する光ビーム発生器装置を有する。典型的には、前記光ビームはレーザビームであって、前記光ビーム発生器装置は、レーザ、通常はレーザダイオードを有する。以下で、本発明は、レーザの場合に関して明確に説明されるが、本発明の根底にある原理は、他の種類の光ビーム発生器装置にも適用されるものであると、理解されたい。
【０００４】
動作の間、前記レーザは熱を発生し、結果として、前記レーザの温度は、上昇する。これは、特に、書き込み動作の間の場合である。なぜなら、書き込み動作に必要な光出力は、読み出し動作に必要な光出力よりも高いからである。ディスクドライブ装置の設計から離れて、前記温度の上昇は、特に、ディスクの回転速度と前記動作の継続時間とに依存する。前記レーザの温度が、あまりにも高く上昇した場合、これは、前記レーザに損害を与え得る。前記レーザの温度は、製造者によって指定された温度未満に留まるべきであり、通常、この温度は、ＤＶＤレーザの場合には７０℃、又はＣＤレーザの場合には７５℃である。
【０００５】
従って、前記レーザの温度上昇を制限する手段を設ける必要がある。より一般的には、ディスクドライブ装置において、装置内で生じる温度、特に温度に敏感な構成要素の温度を制御することが、必要である。
【０００６】
従来技術において、前記レーザを通り過ぎる強制空気流を発生して該レーザから熱を取り除く、ファン装置が提案されている。
【０００７】
公開特許公報第JP-A-07-272.476号明細書に記載されている光ディスクドライブ装置において、分離したファンは、レーザがオンに切り換えられるときに、オンに切り換えられるように制御されている。
【０００８】
米国特許第US-B1-6.295.264号明細書に記載されている光ディスクドライブ装置において、分離したファンは、ディスクドライブのスピンドルモータによって駆動されている。
【０００９】
米国特許第US-B2-6.359.856号明細書に記載されている光ディスクドライブ装置において、ディスク支持体が、ファンとして設計されている。
【００１０】
公開特許公報第JP-A-10-255.348号明細書に記載されている光ディスクドライブ装置において、リング形状のファンが、ディスクの外側周縁部に設けられている。
【発明の開示】
【発明が解決しようとする課題】
【００１１】
前記のようなファンは、増加された重量、増加されたコスト及び増加されたかさばりの不利な点を含んでいる。
【００１２】
従って、本発明の主目的は、必ずしもディスクドライブ装置の材料的なコストを付加せずに、前記レーザの温度上昇を制限する手段を提供する。
【課題を解決するための手段】
【００１３】
このために、本発明は、ディスクドライブ装置の動作を制御する方法と、該方法を実行することができるコントローラとを提供する。本発明の重要な利点は、これが、前記コントローラを適切にプログラミングすることにより、即ち、ソフトウェアを適切に適用化させることにより、実施されることができるが、ハードウェア又はファームウェアにおいて本発明の実施することも可能であることにある。
【００１４】
書き込み／読み出しの間にディスクを回転させることによって発生される空気流に頼っている従来技術の装置は、冷却動作が、実際の書き込み／読み出しの間に行われるのみであって、発生される前記空気流の冷却能力は、前記ディスクの回転速度に依存するという不利な点を有する。典型的には、前記ディスクの回転（又は線）速度は、最適な光学性能、即ち最適な読出し又は書き込み性能のために制御される。通常、この速度は、冷却目的に最適ではない。ＣＤの場合、規格速度（１Ｘ）は、３．５―８Ｈｚである。記録用の典型的な速度は、２．４Ｘである。読み出し用の典型的な速度は、３．５―１６０Ｈｚである。ＤＶＤの場合、記録用の典型的な速度は、今日、１２から１００Ｈｚの範囲であり得る。装置の設計に依存して、冷却目的の最適速度は、５０から１００Ｈｚの範囲、典型的には約８５Ｈｚである。
【００１５】
本発明の１つの見地によれば、利益は、書き込み／読み出し動作から分離されたディスクの回転の冷却効果から得られる。本発明のこの見地によれば、前記ディスクドライブは、ファンモードで動作することができ、該ファンモードでは、ディスクモータは回転のために駆動されるが、書き込み／読み取り動作は行われない。光ディスクの場合、詳細には、前記レーザは、前記ファンモードの間、オフである。好ましくは、当該ディスクドライブの他の電力損失及び熱発生の構成要素（例えば、サーボアクチュエータ）は、前記ファンモードの間、オフに切り換えられている。ディスクを回転させることで、当該装置のハウジング内の前記構成要素、特に、（光ディスクの場合には）レーザを冷却する空気流が発生する。好ましくは、ディスクドライブモータは、所定の最適速度で駆動され、該最適速度は、装置特有の速度であり得て、書き込み／読出しに最適な速度から逸脱し得る。
【００１６】
従って、書き込み／読み出し動作の後の前記レーザの冷却が、改善され、次の書き込み／読み出しに関する命令が受け取られたときには、前記レーザの温度は、本発明によって提案される冷却手段を有さない場合よりも、降下しているので、前記レーザが臨界温度に到達するのには、時間がかかる。実際に、本発明は、長期間の使用の場合においてさえも、前記レーザが臨界温度に到達するのを防止することができる。
【００１７】
本発明の１つの実施例において、前記レーザの温度は、ディスクドライブ装置の書き込み／読み出し動作の終了の際に測定される。通常、前記装置は、ここで、アイドル状態になる。しかしながら、本発明によれば、前記レーザの温度が、第１所定安全温度を超えていることが分かった場合、前記装置は、ファンモードに入り、この結果、ディスクを回転させることで、前記レーザを冷却する空気流の発生を保持する。ディスクドライブのモータの速度は、最適な冷却のために予め決定されることができるが、前記ディスクドライブのモータの速度は、前記装置がアイドル状態であると予想しているユーザを悩ませるのを防止するように可聴性を低下する目的で、例えば、４０Ｈｚに、予め設定されることもできる。
【００１８】
本発明の他の実施例において、前記レーザの温度は、前記レーザの動作の間、監視される。ある判断基準が満たされていることが発見された場合、前記レーザの動作は停止され（即ち、光書き込み又は読み出しの処理が停止される）、当該装置は、前記ファンモードに入る。従って、前記レーザの温度が、動作の間、高く上昇し過ぎるのを防止する。
【００１９】
本発明の特定の実施例において、前記レーザの温度は、規則的な間隔で、継続的に監視される。即ち、（前述したように）前記レーザの動作の間、又は（上述したように）ディスクドライブ装置の書き込み／読み出し動作の終了の際のみではなく、ディスクが、書き込み動作の後に、当該ディスクドライブ装置から取り出されている場合でさえも、監視される。ディスクが取り出され、前記レーザの温度が、所定安全温度（前記第１所定安全温度に等しくても良い）よりも高いようである場合、前記ディスクモータが駆動され、この結果、前記ディスク支持体は回転される。ディスクが存在しない場合であっても、前記回転モータ支持体は、いくらかの冷却効果を有する空気流を発生する。
【００２０】
ファンモードから出るように、前記レーザの温度を監視し、該温度が十分に降下していると分かると直ちに、前記ファンモードを終了させることができる。代替的に、現在好まれるのは、前記ファンモードは、常に所定の継続時間を有することが可能であり、該所定の継続時間の適切な値は、ディスクが存在する場合には１０分間、ディスクが存在しない場合には、更に長く、典型的には約１５分間のオーダである。
【００２１】
従来技術において、前記ディスクを回転させることにより発生される前記空気流が、前記レーザを冷却するのに使用されることができること自体は、知られていることが認められている。公開特許公報第JP-A-11.025.667号明細書は、ディスクドライブ装置であって、空気が前記光ヘッドに向かって流れるように誘導するための、特別に適応化されたガイド板（ハードウェアアプリケーション）を備えるディスクドライブ装置を記載している。
【００２２】
本発明の他の見地によれば、前記ディスクドライブは、デューティサイクルモードで動作することができ、該デューティサイクルモードにおいて、前記ディスクモータは、回転のために継続的に駆動される一方で、書き込み／読み出し動作は、交互にオン又はオフである。サイクルの１つの時間区分において、前記書き込み／読み出し動作は、通常どおりに行われる。サイクルの他の時間区分において、前記ディスクドライブは、実際にファンモードで動作し、前記ディスクドライブの速度は、好ましくは、第１の前記時間区分の間と同じものであり、この結果、前記ディスクドライブの速度は、サイクルの間、ほぼ一定である。結果として、前記レーザ及び他の構成要素によって発生される熱の量は平均で減少される一方で、ディスクを回転させることによる冷却効果は継続され、この結果、更なる温度上昇は、より緩慢になる、又は理想的には、前記温度は、降下する。
【００２３】
模範的な実施例において、前記サイクルは５秒間の継続時間を有し、両方の時間区分は、等しい継続時間（デューティサイクル＝５０％）を有する。
【００２４】
本発明は、レーザの温度に影響を与える他の手段を有さないディスクドライブ装置において、利用されることができる。しかしながら、本発明は、前記のような利用に限定されるものもではない。実際に、本発明を、例えば、前記ディスク支持体及び／又はハウジングが、改善された空気流の発生又は空気流の誘導に適応化されている装置において使用することは、大いに可能である。
【発明を実施するための最良の形態】
【００２５】
本発明のこれら及び他の見地、フィーチャ及び利点は、同一の符号によって同一又は類似部を示している添付図面を参照して、本発明の好適実施例の以下の記載によって更に説明される。
【００２６】
図１は、光ディスク２に情報を記憶する又はこれから情報を読み出すのに適している光ディスクドライブ１を模式的に示している。ディスク２を回転させるように、ディスクドライブ装置１は、回転軸５を規定しているモータ４を有する。ディスク２を収容して保持するように、ディスクドライブ装置１は、ターンテーブル又はクランピングハブ６を有することができ、これは、スピンドルモータ４の場合、モータ４のスピンドル軸７に取り付けられる。
【００２７】
ディスクドライブ装置１は、更に、ディスク２のトラック（図示略）を光ビームによって走査する光システム３０を有する。より詳細には、光システム３０は、光ビーム発生手段３１、典型的にはレーザダイオードのようなレーザを有し、該レーザは光ビーム３２を発生し、該光ビーム３２は、光手段によってディスク２上に向けられ、フォーカスされる。該光手段は、これ自体は知られているものであり、簡潔さのために示していない。当業者にとってよく知られているように、書き込み処理の間、レーザビームの強度は、ディスクの物質特性に変化を生じさせるように変調されるのに対し、読み取り処理の間、反射された光は、光検出器（簡潔さのために示していない）によって受け取られ、前記反射された光の強度の変動は、情報に対応している。本発明は、このような書き込み及び／又は読み取り処理に関連するものではないので、これらの処理、又は対応する使用されている構成要素を、ここで詳細に議論する必要はない。
【００２８】
同様に、ディスクドライブ装置１は、更に、前記ビームのフォーカスを半径方向に移動させる手段を有しているが（この移動手段も、簡潔さのために示していない）、該移動手段の設計及び動作を、更にここで詳細に議論する必要はない。
【００２９】
ディスクドライブ装置１は、更に、制御ユニット９０を有しており、これは、モータ４の制御入力に接続されている第１制御出力９１を有し、レーザ３１の制御入力に結合されている第２制御出力９２を有する。制御ユニット９０の信号出力９３は、レーザ３１の信号入力に結合されている。
【００３０】
ディスクドライブ装置１の他の機能ユニットは、制御可能なユニット４０として、共通で全体的に示されている。前記機能ユニット（典型的にはＩＣとして実施される）の例は、信号処理ユニット、フォーカスアクチュエータ、半径方向アクチュエータ、サーボドライバ、エンコーダ、デコーダ及びフォトダイオード等である。制御ユニット９０は、更に、１つ以上の前記他の機能ユニットの制御入力に結合されている１つ以上の制御出力を有している。これら１つ以上の制御出力は、制御可能なユニット４０の制御入力４１に結合されている第３制御出力９４として、共通で全体的に示されている。
【００３１】
制御ユニット９０は、第１出力９１において、モータ４を制御するモータ制御信号ＳＣＭを発生し、第２制御出力９２において、レーザ３１を制御するレーザ制御信号ＳＣＬを発生し、第３制御出力９４において、制御可能なユニット４０を制御するユニット制御信号ＳＣＵを発生するように、設計されている。モータ制御信号ＳＣＭによって、制御ユニット９０は、ディスクドライブモータ４をオン又はオフに切り換えることができると共に、このモータの回転速度を設定することができる。レーザ制御信号ＳＣＬによって、制御ユニット９０は、レーザ３１をオン又はオフに切り換えることができる。前記レーザがオンモードで動作している場合、レーザ３１は、信号出力９３において制御ユニット９０によって発生されたレーザデータ信号ＳＤに従って、レーザビーム３２を発生する。ユニット制御信号ＳＣＵによって、制御ユニット９０は、制御可能なユニット４０をオン又はオフに切り換えることができる。
【００３２】
ディスクドライブ装置１は、更に、示されているように、温度検出手段５０（好ましくはレーザ３１に関連付けられている）を有し、該温度検出手段５０は、測定された温度（この場合、レーザ３１の温度）に対応する測定信号ＳＴを発生するように設計されている。測定信号ＳＴは、制御ユニット９０の温度信号入力９５に結合される。温度検出手段５０は、当業者によく知られているように、何らかの適切な態様で実施されることができる。更に、前記温度検出手段５０の設計は、本発明の目的ではなく、従来型の温度検出手段が、本発明において使用されることができる。従って、温度検出手段５０の設計及び動作を、ここでは、詳細に議論する必要はない。
【００３３】
制御ユニット９０は、図１及び２を参照して以下で説明されるように、少なくとも１つのノーマルモード及びいくつかの安全モードおいて、動作することができる。ノーマルモード（ＮＭと呼ぶ）において、制御ユニット９０は、制御可能なユニット４０が、望まれるとおりに切り換えられることを可能にし、温度制御に関連していない必要条件、即ち、振動、雑音、エラーレート及びデータフローレート等のような必要条件に従って、モータ４の動作速度を設定する。実際に、前記ノーマルモードは、従来技術のモードであるとみなすことができる。
【００３４】
第１安全モード（ＳＭ１と呼ぶ）において、制御ユニット９０は、モータ４の回転速度が第１所定安全値ω１に設定されるように、モータ制御信号ＳＣＭを発生する。この第１所定安全値ω１は、読み取り動作又は書き込み動作と組み合わせて冷却するのに最適であるように、それぞれ、予め決定されている。第１所定安全値ω１の実際の値は、ディスクドライブ装置の種類に依存し得て、例えば、ＤＶＤ装置の場合、ω１の実際の値は、ＣＤ装置の場合のω１の実際の値に、必ずしも等しい必要はない。それだけでなく、異なる設計のＣＤ装置の間で、ω１の実際の値は、互いに異なり得て、異なる設計のＤＶＤ装置にも、同様のことが当てはまる。一般に、第１所定安全値ω１は、例えば、５０−１００Ｈｚの範囲であることができ、試験的なＤＶＤ装置の典型的な例では、第１所定安全値ω１は、８５Ｈｚにほぼ等しいようである。
【００３５】
原則的には、第１所定安全値ω１は、制御装置９０に対して潜在的に選択可能な、とり得る回転速度の１つである。このように、この速度は、「ノーマル」速度である。しかしながら、前述で規定されたように、制御ユニット９０は、ノーマルモードＮＭにおいては前記回転速度を、温度制御を考慮に入れずに選択するのに対し、制御ユニット９０は、第１安全モードＳＦ１においては、温度制御の目的で前記回転速度を選択する。しかし、ノーマルモードＮＭにおいて、前記回転速度は、第１所定安全値ω１に等しいこともあり得ることに留意されたい。
【００３６】
更に、理論的に最適な速度と実際に最適な速度との間の差があり得ることも留意されたい。理論的に最適な回転の速度であって、冷却目的に最適であるが、当該ディスクドライブ装置が、場合によっては（少なくとも書き込み動作又は読出し動作と組み合わされず）前記速度をサポートしていないために、制御ユニット９０に利用可能でない理論的に最適な回転の速度が、存在することもあり得る。第１所定安全値ω１の上述の規定において、「最適な」という表記は、「実際に最適な」、即ち、制御ユニット９０に実際に利用可能である範囲内で最適であることを意味するものと理解されたい。
【００３７】
同じ装置内においてさえも、書き込みの場合の最適速度と読み取りの場合の最適速度との間の差があり得るが、これらの２つの最適速度が、（上述の試験的なＤＶＤ装置の場合もそうであったように）ほぼ等しいこともあり得る。本明細書の残りの部分において、この違いはもはや記述しないが、「最適な」という表記は、本動作（書き込み／読み出し）のコンテキストにおける最適さを意味するものであると理解されたい。同様のことは、必要な変更を加えて、読み出し／書き込みが、一定の線速度モードか又は一定の角速度モードかにおいて行われなければならない事実に該当する。
【００３８】
最後に、ノーマル動作の間、前記回転速度は、第１所定安全値ω１が、通常、前記ノーマル動作の速度よりも低く（又はこれに等しい）なるように、大抵、できるだけ速く選択される。このような場合、ノーマルモードＮＭから第１安全モードＳＦ１への遷移は、速度の減少を含む。このシナリオは、典型的には、ＣＤ−ＲＯＭを読み出す場合に該当する。しかしながら、これは、必ずしもそうであるものではないので、ノーマルモードＮＭから第１安全モードＳＦ１までの遷移が、速度の増加を含むこともあり得る。
【００３９】
第２安全モード（ＳＭ２又はＦＡＮ ＤＩＳＣモードと呼ぶ）において、制御ユニット９０は、前記モータ４の回転速度が第２所定安全値ω２に設定されるように、モータ制御信号ＳＣＭを発生する。この第２所定安全値ω２は、ディスクが存在しているが読み取り又は書き込み動作が行われていない場合の冷却に最適なものとして、予め決定されている。更に、制御ユニット９０は、レーザ３１をオフに切り換えるように、レーザ制御信号ＳＣＬを発生する。更に、制御ユニット９０は、制御ユニット４０をオフに切り換えるように、ユニット制御信号ＳＣＵを発生する。
【００４０】
このモードにおいて、電力損失の、従って熱を発生するデバイス（ＩＣ）のほとんどは、停止される一方で、ディスクを回転させることによる冷却は、継続する。しかしながら、ディスクドライブ内の内部通信は、生きたままであるので、制御ユニット９０は、例えば、いかなる新たな書き込み命令も認識することができる。
【００４１】
第１所定安全速度ω１に関して上述したのと同様に、第２所定安全速度ω２の実際の値は、今、当業者に明らかであるはずであるように、ディスクドライブ装置の種類、装置の設計及び制御ユニット９０に利用可能である速度の範囲等に依存し得る。
【００４２】
好適実施例において、第２所定安全速度ω２は、読み出し又は書き込み動作と組み合わせてではなく、低雑音の必要条件と組み合わせて冷却するのに最適であるように予め決定されている。前記低雑音の必要条件を考慮に入れない場合、第２所定安全速度ω２の実際の値は、可聴範囲内にあり、例えば、８５Ｈｚである。しかしながら、これは、アイドル状態のときのドライブは無音であるべきであると期待するユーザであって、何かが不調であるのかどうかを不思議に思うユーザにとって、不快なものとなり得る。このことを防止するように、低雑音の必要条件が設定されることができ、該低雑音の必要条件は、前記回転速度が、例えば５０Ｈｚよりも低いままでいるように要求し、このような場合には、第２所定安全速度ω２の実際の値は、例えば４０Ｈｚであり得る。
【００４３】
他の例において、当該ディスクドライブは、比較的多くの雑音が生じる第１速度範囲と、比較的ほとんど雑音が生じない第２速度範囲とを有することがあり得て、このような場合、第２所定安全速度ω２の実際の値は、好ましくは、前記第１範囲外から、より好ましくは、前記第２範囲内から、選択されることができる。
【００４４】
第３安全モード（ＳＭ３又はデューティサイクルモードＤＣＭと呼ぶ）において、制御ユニット９０は、ノーマルモード部ＮＭＰとエネルギ節約モード部ＥＳＭＰとにおいて交互に動作する。
【００４５】
デューティサイクルモードＤＳＭのノーマルモード部ＮＭＰにおいては、ディスクの回転速度は、制御ユニット９０に利用可能な範囲内のいかなる値にも設定されることができる。しかしながら、好ましくは、ディスクの前記回転速度は、上述の第１所定安全速度ω１に設定され、この結果、この点において、ノーマルモード部ＮＭＰは、第１安全モードＳＭ１に対応する。
【００４６】
デューティサイクルモードＤＳＭのエネルギ節約モード部ＥＳＭＰにおいては、いかなる書き込み又は読み取り動作も中断され、レーザ３１はオフに切り換えられ、エネルギを消費する制御可能なユニット４０はオフに切り換えられるが、ディスクモータの活性化は、継続する。従って、ディスクの回転による冷却動作からの利益が、得られる。
【００４７】
エネルギ節約モード部ＥＳＭＰにおいて、ディスクの回転速度は、上述の第２所定安全速度ω２まで、必要に応じて、増加される又は減少されるので、この点において、エネルギ節約モード部ＥＳＭＰは、第２安全モードＳＭ２に対応している。しかしながら、これは、関連する可聴周波数の変化を伴うディスクモータの加速及び減速を繰り返し含んでおり、これは、好ましいものではない。好ましくは、エネルギ節約モード部ＥＳＭＰにおいて、ディスクの回転速度の値は、エネルギ節約モード部ＥＳＭＰに入る直前にノーマルモード部ＮＭＰで設定されていた値に保持され、この結果、ディスクの回転速度は、デューティサイクルモードＤＳＭの間、ほぼ一定に保持される。
【００４８】
従って、制御ユニット９０は、ノーマルモード、エネルギ節約モード、及び、再びノーマルモード等における継続的な動作のサイクルを通して、運転している。各サイクルは、所定の継続時間を有しており、該継続時間は、例えば、１〜１０秒間の範囲で選択されることができ、適切な値は、約５秒間のオーダである。
【００４９】
前記のようなモードのサイクルのデューティサイクルは、５０％の値を有することができ、即ち、各ノーマルモード部の継続時間は、各エネルギ節約モード期間の継続時間に等しい。しかしながら、デューティサイクルに対して、ノーマルモードが有利又はエネルギ節約モードが有利のいずれかである、異なる値を設定することも可能である。
【００５０】
第４安全モード（ＳＭ４又はＦＡＮ  ＴＵＲＮＴＡＢＬＥモードと呼ぶ）において、制御ユニット９０は、モータ４の回転速度が、第４所定安全値ω４に設定されるように、モータ制御信号ＳＣＭを発生する。この第４所定安全値ω４は、ディスクが存在しない場合の冷却に最適であるように、予め決定されており、冷却空気流は、回転しているターンテーブルのみによって発生される。このモードは、ディスクが存在しない状況に対して意図されており、この場合、レーザ３１はオフに切り換えられている。更に、制御ユニット９０は、制御可能なユニット４０をオフに切り換えるように、ユニット制御信号ＳＣＵを発生する。
【００５１】
このモードにおいて、電力損失の殆ど、従って熱を発生するデバイス（ＩＣ）は、停止される一方で、冷却は、回転するターンテーブル等によって継続される。しかしながら、ディスクドライブ内の内部通信は、生きたままであるので、制御ユニット９０は、「オープンドア」のように、命令を認識することができる。
【００５２】
再び、今、当業者にとって明らかであるはずであるように、第４所定安全値ω４の実際の値は、ディスクドライブ装置の種類、装置の設計及び制御ユニット９０に利用可能な速度の範囲等に依存し得る。ディスクを有さずに回転するターンテーブルは、ほとんど又は全く雑音を発生しないので、典型的には、第４所定安全値ω４の実際の値は、第２所定安全速度ω２よりも速くあり得る。第４所定安全値ω４に対する適切な値は、８０―１００Ｈｚのオーダであり得る。
【００５３】
図２は、表であって、本発明による制御方法を実施する際に、制御ユニット９０によって取られる制御ステップを模式的に示している。縦の列のそれぞれは、制御ユニット９０の動作モードに対応している。横の行のそれぞれは、動作中に生じる状況に対応している。フィールドのそれぞれは、制御ユニット９０によって取られるステップに対応している。
【００５４】
最初に、制御ユニット９０は、ノーマルモードＮＭにおける書き込み又は読み出し動作において動作しているものとし、これはＮＭ０と示されている。回転速度ωは、制御ユニット９０によって設定されている何らかの適切な値を有することができ、典型的には、必ずしもではないが、第１所定安全速度ω１とは異なる。規則的な間隔で、例えば、１０秒ごとに１回、制御ユニット９０は、温度センサ５０から受け取った温度信号ＳＴをチェックし、測定された温度Ｔを、例えば約６０℃であり得る第１所定しきい温度Ｔ１と比較する。測定された温度Ｔが、前記第１所定しきい温度Ｔ１よりも低いままである限り、制御ユニット９０は、ノーマルモードＮＭ０における書き込み又は読み出し動作を継続する（アクション２０１）。前記書き込み又は読出し動作が完了したとき、制御ユニット９０は、通常通り、レーザ３１及び制御可能なユニット４０を停止し、アイドルモードへ遷移する（ステップ２０２）。
【００５５】
測定された温度Ｔが、前記第１所定しきい温度Ｔ１を超えると直ちに、制御ユニット９０は、第１フラグＦＴ１を設定する（ステップ２１１）。今、第１フラグＦＴ１が設定され、ノーマルモードにおける書き込み又は読み出し動作は継続し、これはＮＭ１で示されている。制御ユニット９０は、規則的な間隔で、前記温度を監視し続ける。測定された温度Ｔが、第１所定しきい温度Ｔ１より高いが、Ｔ１より高い第２所定しきい温度Ｔ２（該第２所定しきい温度Ｔ２は、例えば、約７０℃であり得る）よりも低いままである限り、制御ユニット９０は、ノーマルモードＮＭにおいて、且つ、第１フラグＦＴ１の設定において、書き込み又は読み出し動作を継続する（アクション２１２）。
【００５６】
測定された温度Ｔが、前記第１所定しきい温度Ｔ１よりも低く降下している場合、制御ユニット９０は、第１フラグＦＴ１をリセットし（ステップ２１３）、ノーマルモードＮＭ０における書き込み又は読み出し動作を継続する（アクション２０１）ことが可能であるが、制御ユニット９０は、設定されている第１フラグＦＴ１を、とにかく保持することも可能である。
【００５７】
ステップ２０２は、前記温度をもう一度チェックし、測定された温度Ｔが、ここで、前記第１所定しきい温度Ｔ１よりも高いと分かった場合、第２安全モードＳＭ２に遷移するステップ（ステップ２０３）を有することができることに、留意されたい。
【００５８】
今、前記書き込み又は読み出し動作が、第１フラグＦＴ１が設定されている間に完了した場合、制御ユニット９０は、上述の第２安全モードＳＭ２又はＦＡＮ  ＤＩＳＣモードに遷移する（ステップ２１４）。
【００５９】
上述したように、制御ユニット９０は、測定された温度Ｔが、しきい値（前記第１所定しきい温度Ｔ１に等しくても良い）よりも低くに降下している場合、第２安全モードＳＭ２を終了することができる。しかしながら、好適実施例において、制御ユニット９０は、第２安全モードＳＭ２の入り口において、第１タイマＴＩＭ１を開始し（ステップ２１５）、第１タイマＴＩＭ１によって決定されている第１所定期間ｐ１の間、第２安全モードＳＭ２に留まるようにする。この所定期間ｐ１は、適切には、約１０分間であり得る。
【００６０】
前記所定期間ｐ１がまだ経過していない間、即ち、制御ユニット９０が、ＦＡＮ  ＤＩＳＣモードＳＭ２においてまだ動作しているときに、新たな書き込み／読み出し命令が受け取られた場合、制御ユニット９０は、ノーマルモードＮＭ１に遷移する、即ち、第１フラグＦＴ１を設定して前記書き込み／読み出し動作を開始する（ステップ２１６）。
【００６１】
第１タイマＴＩＭ１の値が、前記所定期間ｐ１が経過していることを示すと直ちに、制御ユニット９０は、ＦＡＮモードＳＭ２を終了する、即ちドライブモータ４を停止し、アイドルモードに遷移する（ステップ２１７）。
【００６２】
前記アイドルモードにおいて、制御ユニット９０は、規則的な間隔で、例えば、１０秒間ごとに１回、前記温度を監視し続けることができる。測定された温度Ｔが、前記第１所定しきい温度Ｔ１よりも高いと分かった場合、制御ユニット９０は、ＦＡＮ  ＤＩＳＣモードＳＭ２に遷移する（ステップ２６１）。前記アイドルモードにおいて、新たな書き込み／読み出し命令が受け取られた場合、制御ユニット９０は、ノーマルモードＮＭ０に遷移し（ステップ２６２）、書き込み又は読み出し動作を開始する（アクション２００）。
【００６３】
測定された温度Ｔが、前記第２所定しきい温度Ｔ２を超えると直ちに、制御ユニット９０は、第１安全モードＳＭ１に入る（ステップ２２１）。従って、ここで、第１所定安全速度ω１に等しい回転速度ωが作られ、これは、場合によって、前記回転速度の増加又は減少を含む。
【００６４】
第１安全モードＳＭ１の入り口において、制御ユニット９０は、第２所定期間ｐ２を規定する第２タイマＴＩＭ２を開始し（ステップ２２２）、該第２所定期間ｐ２は、例えば、５分間であり得る。制御ユニット９０は、前記温度を監視し続ける。測定された温度Ｔが、前記第２所定しきい温度Ｔ２よりも降下している場合、制御ユニット９０は、前記第２タイマＴＩＭ２を停止する（ステップ２２３）。
【００６５】
第２所定期間ｐ２が、前記温度がまだ前記第２所定しきい温度Ｔ２よりも高い間に終了する場合、制御ユニット９０は、上述の第３安全モードＳＭ３又はデューティサイクルモードＤＣＭに遷移する（ステップ２３１）。デューティサイクルモードＤＣＭは、特定の種類のドライブには利用可能ではないことがあり得ることに留意されたい。例えば、ＣＤの書き込み動作の場合、シームレスの記録を実現するのは非常に困難であるため、書き込み処理を中断することは、望ましくないかもしれない。
【００６６】
デューティサイクルモードＤＣＭの入り口において、制御ユニット９０は、第３所定期間ｐ３を規定している第３タイマＴＩＭ３を開始し（ステップ２３２）、該第３所定期間ｐ３は、例えば５分間であり得る。
【００６７】
制御ユニット９０は、前記温度を監視し続ける。測定された温度Ｔが、前記第２所定しきい温度Ｔ２よりも低くに降下している場合、制御ユニット９０は、前記第３タイマＴＩＭ３を停止し、第１安全モードＳＭ１に戻ることができる。しかしながら、測定された温度Ｔが、前記第２所定しきい温度Ｔ２よりも低くに降下している場合でさえも、現在の書き込み／読み出し動作が行われている限り、デューティサイクルモードＤＣＭは、継続されることが好ましい（アクション２３３）。
【００６８】
前記第３所定期間ｐ３が経過する前に、前記書き込み／読み出し動作が完了する場合、制御ユニット９０は、ＦＡＮ  ＤＩＳＣモードＳＭ２に遷移する（ステップ２３４）。
【００６９】
いかなる場合も、測定された温度Ｔが前記第２所定しきい温度Ｔ２よりも低くに降下している場合、制御ユニット９０は、第３タイマＴＩＭ３を停止する（ステップ２３５）。
【００７０】
更に、第１安全モードＳＭ１又はデューティサイクルモードＤＣＭにおける書き込み／読み出し動作の間、又はＦＡＮ  ＤＩＳＣモードＳＭ２における冷却の間に、第３所定期間ｐ３が終了すると同時に、測定された温度Ｔが、まだ前記第２所定しきい温度Ｔ２よりも高い場合、制御ユニット９０は、第２フラグＦ２を設定し（ステップ２４１）、ＦＡＮ  ＤＩＳＣモードに遷移し（ステップ２４２）、これは、今、ＦＡＮ２  ＤＩＳＣと示されている。従って、前記温度が、あまりに長く前記第２所定しきい温度Ｔ２よりも高いままでありそうな場合、これは、最適速度（ＳＭ１）及び／又はデューティサイクルモード（ＳＭ３）のような前の手段が十分な効果を達成できないことを意味しており、当該ディスクドライブは効果的に停止され、更に、読み出し／書き込みは、前記装置に起こり得る損害を回避するように防止される。ディスクを回転させることによる冷却は、継続される。
【００７１】
この場合、制御ユニット９０は、同様に、第４所定期間ｐ４を規定している第４タイマＴＩＭ４を開始し（ステップ２４３）、該第４所定期間ｐ４は、例えば、１０分間であり得る。この期間の間、新たな書き込み／読み出し命令が受け取られた場合、これは、当該装置が十分に冷却するのを可能にするように、無視される（ステップ２４４）。第４タイマＴＩＭ４の値が、第４所定期間ｐ４が経過していることを示すと直ちに、制御ユニット９０は、前記第１及び第２フラグＦＴ１及びＦ２をリセットし、当該ドライブを「解放（liberate）」する（ステップ２４５）。新たな書き込み／読み出し命令が受け取られた場合、制御ユニット９０は、ノーマルモードＮＭで開始する（アクション２００）。
【００７２】
制御ユニットが、ディスクを排出するように命令を受け取った場合、これは、アイドルモードに遷移する（ステップ２７１）。前記アイドルモードにおいて、制御ユニット９０は、好ましくは、前記温度を、規則的な間隔で、例えば１０秒間ごとに１回、監視し続ける。測定された温度Ｔが、所定しきい温度（有利には、前記第１所定しきい温度Ｔ１）よりも高いことが分かった場合、制御ユニット９０は、ＦＡＮ２  ＴＵＲＮＴＡＢＬＥモードＳＭ４に遷移し（ステップ２７２）、ディスクモータは、速度ω４に活性化される。ここで、回転モータ支持体又はターンテーブルは、いくらかの冷却効果を有する空気流を発生する。モータは、前記温度が、前記しきい温度よりも低くに降下している場合に、停止されることができる。しかしながら、好ましくは、この第４安全モードＳＭ４は、該第４安全モードＳＭ４の入り口において、制御ユニット９０によって開始されている第５タイマＴＩＭ５によって決定されている所定期間ｐ５の間、保持される。第５タイマＴＩＭ５の値が、所定期間ｐ５が経過していることを示すと直ちに、制御ユニット９０は、ディスクモータを停止し、アイドル状態に遷移する（ステップ２７５）。
【００７３】
上述においては、現在好まれる制御方法を記載しているが、当業者にとって、本発明は、上述の模範的な実施例に限定されるものではなく、様々な変更及び変形が、添付請求項に規定された本発明の保護範囲内で可能であることは、明らかなはずである。
【００７４】
例えば、レーザの温度を監視する代わりに、他の臨界的な構成要素の温度が監視されること、又は温度センサは、局所的な周囲の温度を監視するように、当該装置内部の場所に配されることさえも、可能である。
【００７５】
上述の実施例において、測定された温度が、第２しきい温度Ｔ２よりも高いと分かると、制御は、まず、前記速度を最適速度に低下し（ステップ２２１）、ある所定時間（ｐ２）の後、この動作が、前期温度を、前記第２しきい温度Ｔ２よりも下に低下させる助けにならないようである場合、制御は、デューティサイクルモード（ステップ２３１）に遷移する。しかしながら、制御は、測定された温度が第２所定しきい温度Ｔ２よりも高いと分かると直ちに、デューティサイクルモードに遷移することも可能である。更に、制御は、測定された温度が第２所定しきい温度Ｔ２よりも高いと分かると直ちに、ＦＡＮモードに遷移することも可能である。
【００７６】
更に、ノーマルモードから、異なる安全モードへの遷移が、様々な温度レベルによって開始されることが可能である。
【００７７】
更に、「光ディスク」という表現は、光磁気ディスクにも適用されることは、明らかであろう。
【００７８】
更に、前記温度は、読み取り／書き込み動作の終了のような、特定のイベントの際に測定されることもできるが、前記温度は、規則的な間隔で、継続的に測定されるのが好ましいことに留意されたい。
【００７９】
本明細書において、符号４０及び「制御可能なユニット」という言葉は、制御ユニット９０によって実際にオン又はオフに切り換えられる機能ユニットを示すのに使用されていることに留意されたい。当該ディスクドライブ装置は、ＦＡＮモードにおいてオフに切り換えられない機能ユニットを、更に有することもできる。
【図面の簡単な説明】
【００８０】
【図１】光ディスクドライブを模式的に説明しているブロック図である。
【図２】本発明による光ディスクドライブの動作を説明している表である。
【図１】
2006513518.tif 000003
【図２】
2006513518.tif 000004
【国際調査報告】
2006513518.tif 000005
2006513518.tif 000006